(57)【要約】  本発明の電磁石回転モータシステムにおいては、溝ディスクに一つ以上の永久磁石が馬蹄形でディスクの溝内に接線方向に組み込まれており、同じ磁極が同じ方向に向かい、誘導コイルや電磁石は溝内の永久磁石の間に接線方向に位置し、電磁石の磁極軸線が永久磁石の磁極軸線に平行し、コイルに電気が流れる時、電磁石と永久磁石の磁極が互いに反発してディスクをコイル反対側に回転させるように磁極が配置されている。【選択図】図１
2019534679.tif 000002
【特許請求の範囲】
【請求項１】
円周を有するディスク、
前記ディスクの中心回転軸、
前記ディスクの円周に設けられ、永久磁石の縦軸線が該永久磁石のＳ極からＮ極に向かう少なくとも一つの永久磁石、
制御可能な電源、および
少なくとも一つの電磁石を含む電気モータであって、
前記電磁石の各々がディスクに隣接して円周方向に配置され、前記電源から電気を受ければ前記電磁石にＮ極とＳ極が生成され、前記電磁石のＳ極からＮ極に向かう前記電磁石の縦軸線が前記永久磁石の縦軸線と同じ円周方向に向かうことを特徴とする電気モータ。
【請求項２】
前記永久磁石が２個以上であり、前記永久磁石のＳ極からＮ極に向かった縦軸線が同じ円周方向を有するように前記ディスクに配置されることを特徴とする、請求項１に記載の電気モータ。
【請求項３】
前記永久磁石の間に配置された遮蔽材をさらに含むことを特徴とする、請求項１に記載の電気モータ。
【請求項４】
前記電磁石の各々が前記永久磁石の各々と円周方向に不一致するかまたは整列されなかった時には電気が遮断され、前記電磁石の各々の軸線が円周方向に前記永久磁石の各々の軸線に整列された時または円周方向に整列される他の円周方向閾値内にある時には電気が供給されることを特徴とする、請求項１〜３のいずれか１項に記載の電気モータ。
【請求項５】
前記永久磁石と前記電磁石の縦軸線が円周方向に互いに整列された時、前記永久磁石の縦軸線と前記電磁石の縦軸線が互いに平行するが他の平面にあることを特徴とする、請求項４に記載の電気モータ。
【請求項６】
前記永久磁石がチャネルを形成し、該チャネルは永久磁石の縦軸線に沿って伸びることを特徴とする、請求項１〜５のいずれか１項に記載の電気モータ。
【請求項７】
前記電磁石が円周方向に整列された時にチャネル内に位置することを特徴とする、請求項６に記載の電気モータ。
【請求項８】
前記チャネルの断面がＣ型であることを特徴とする、請求項６または７に記載の電気モータ。
【請求項９】
前記チャネルの断面が馬蹄形であることを特徴とする、請求項６または７に記載の電気モータ。
【請求項１０】
前記電磁石が四角形であることを特徴とする、請求項９に記載の電気モータ。
【請求項１１】
前記永久磁石の断面が前記永久磁石の縦軸線に直角であることを特徴とする、請求項５〜９のいずれか１項に記載の電気モータ。
【請求項１２】
前記チャネルが中心縦軸線を形成し、中心縦軸線と電磁石の縦軸線が同一平面にあることを特徴とする、請求項５〜１１のいずれか１項に記載の電気モータ。
【請求項１３】
前記電磁石が電磁石チャネルを形成し、該電磁石チャネルは前記電磁石の縦軸線に沿って伸びることを特徴とする、請求項１〜５のいずれか１項に記載の電気モータ。
【請求項１４】
前記永久磁石のうち少なくとも一つは、前記永久磁石と前記電磁石が円周方向に整列された時に前記電磁石チャネル内に位置することを特徴とする、請求項１３に記載の電気モータ。
【請求項１５】
前記電磁石チャネルが前記電磁石の中心縦軸線を形成し、前記電磁石の中心縦軸線と前記電磁石の縦軸線が同一平面にあることを特徴とする、請求項１３に記載の電気モータ。
【請求項１６】
前記永久磁石の縦軸線が前記ディスクの円周に接することを特徴とする、請求項１〜１５のいずれか１項に記載の電気モータ。
【請求項１７】
前記電磁石を支持するための少なくとも一つの固定支持部をさらに含むことを特徴とする、請求項１〜１６のいずれか１項に記載の電気モータ。
【請求項１８】
前記電磁石の縦軸線が前記ディスクに接することを特徴とする、請求項１〜１７のいずれか１項に記載の電気モータ。
【請求項１９】
前記電磁石がフランジやエンドワッシャと一体である中実の軟鉄心を含むことを特徴とする、請求項１〜１８のいずれか１項に記載の電気モータ。
【請求項２０】
前記永久磁石と前記電磁石の整列を検知する光学および／または近接センサをさらに含むことを特徴とする、請求項１〜１９のいずれか１項に記載の電気モータ。
【請求項２１】
前記永久磁石の各々に対して磁場が生じ、前記電磁石は電気を受けた時に電磁場を引き起こし、前記磁場と電磁場が相互作用して前記電磁石に対して前記永久磁石を側面に動かしてディスクを回転させることを特徴とする、請求項１〜２０のいずれか１項に記載の電気モータ。
【請求項２２】
前記電源がバッテリーであることを特徴とする、請求項１〜２１のいずれか１項に記載の電気モータ。
【請求項２３】
前記ディスクの回転速度を調節する速度コントローラをさらに含むことを特徴とする、請求項１〜２２のいずれか１項に記載の電気モータ。
【請求項２４】
前記電磁石を冷却する送風機が前記ディスクに連結されていることを特徴とする、請求項１〜２３のいずれか１項に記載の電気モータ。
【請求項２５】
前記電磁石の各々がソレノイドを含むことを特徴とする、請求項１〜２４のいずれか１項に記載の電気モータ。
【請求項２６】
前記電磁石が２個以上であり、前記ディスクが回転する順次的な順に前記２個以上の電磁石に電気が供給されることを特徴とする、請求項１〜２５のいずれか１項に記載の電気モータ。
【請求項２７】
前記２個以上の電磁石のうち一部に電気を供給して前記永久磁石を反発させ、残りの電磁石は本来の位置に引かれることを特徴とする、請求項２６に記載の電気モータ。
【請求項２８】
前記永久磁石が前記ディスクの円周に一致するように曲がっていることを特徴とする、請求項１〜２７のいずれか１項に記載の電気モータ。
【請求項２９】
請求項１〜２８のいずれか１項に記載の電気モータを一つ以上含む電気モータシステムであって、
前記ディスクが中心軸を共有することを特徴とする電気モータシステム。
【請求項３０】
請求項１〜２８のいずれか１項に記載の電気モータのディスクに円周方向に隣接して配置された少なくとも一つの受動電磁石を含む発電システムであって、
前記電磁石の通路から電気を生産することを特徴とする発電システム。
【請求項３１】
請求項２９または３０に記載のシステムが発電機を駆動することを特徴とする発電システム。
【発明の詳細な説明】
【技術分野】
【０００１】
本発明は、電気モータに関し、具体的には、電磁石コイル外部の磁束と永久磁石の相互作用によって駆動される電気モータに関する。
【背景技術】
【０００２】
電気モータは、内燃機関の化石燃料のような外部ソースによって、または水素、核エネルギー、風力、太陽エネルギーから生成された電気によって駆動される。磁石によって駆動されるモータを開発しようとする数多くの試みがあったし、今でも続いている。磁石の吸引・反発特性を利用する目的は、直線運動や回転運動を引き起こすメカニズムを動かすかまたは駆動するためである。このような従来の試みは、磁場の飽和と磁石を固定した金属の磁化や磁石の消磁現象を含む問題を抱えている。
【０００３】
従来のシステムのうちの一つは、鉄心を備えた電磁石は半径方向に向かった磁極を有するディスクの周りに円周方向に配列し、永久磁石は磁極を半径方向にしてディスクに配列した。永久磁石がソレノイドに近づくことにつれて鉄心に引き寄せられる。永久磁石の磁極が電磁石の磁極と一致する時、電磁石に電流が供給されて永久磁石の反発を誘導する。このシステムの短所は、電流が電磁石に流れる時に永久磁石の側面移動が制限されるということにある。その結果、近接離隔したコイルがディスクの連続回転を引き起こさなければならないため、電力消費が多く、電磁石の間に相互インダクタンスが発生して回転を妨害する。
【０００４】
本発明は、断面が円形や楕円形や四角形の電磁石ソレノイドと永久磁石が平行整列された構造外部の磁場を利用する。ソレノイド内にバルブがあるソレノイドバルブと同様に、永久磁石がソレノイドを囲むかまたはその逆である。永久磁石は、間隔をおいて配列され、その軸線がディスクの円周に接して固定電磁石を部分的に囲む。永久磁石が電磁石を囲む場合、エネルギー消費が減る。電磁石と永久磁石は、同じ磁極が同じ方向に向かい、平行に整列するようになっている。回転するディスクにある永久磁石の間に遮蔽材を配置して、各々の永久磁石の磁場が隣接した磁石の反対磁極に連結されず自らのＮ極からＳ極に向かうようになる。電磁石が永久磁石に平行に整列される時、各々の電磁石に電流が供給されて同一方向に永久磁石を反発させてディスクを連続的に回転させる。
【発明の要約】
【０００５】
本発明の電磁石回転モータシステムにおいては、溝ディスクに一つ以上の永久磁石が馬蹄形でディスクの溝内に接線方向に組み込まれており、同じ磁極が同じ方向に向かい、誘導コイルや電磁石は溝内の永久磁石の間に接線方向に位置し、電磁石の磁極軸線が永久磁石の磁極軸線に平行し、コイルに電気が流れる時、電磁石と永久磁石の磁極が互いに反発してディスクをコイル反対側に回転させるように磁極が配置されている。
【０００６】
複数の永久磁石と電磁石コイルをディスクの円周の周りに配置して、電磁石コイルが交互に動作しつつディスクの円周に配置された永久磁石に力を伝達して、ディスクを連続的に回転させる。モータとは逆に、単一磁石を部分的に囲んで馬蹄形で整列された複数のコイルを用いて、ディスクのリム付近に接線方向に置かれた単一磁石を反発させてディスクを回転させ、この時、磁石の磁極はコイルの磁極と平行する。
【０００７】
本発明の電気モータは、円周を有するディスク、ディスクの中心回転軸、ディスクの円周に設けられ、永久磁石の縦軸線が永久磁石のＳ極からＮ極に向かう少なくとも一つの永久磁石、制御可能な電源、および少なくとも一つの電磁石を含み、電磁石の各々がディスクに隣接して円周方向に配置され、電源から電気を受ければ電磁石にＮ極とＳ極が生成され、電磁石のＳ極からＮ極に向かう電磁石の縦軸線が永久磁石の縦軸線と同じ円周方向に向かうようになっている。
【図面の簡単な説明】
【０００８】
【図１】永久磁石がディスクのハブとフランジに馬蹄形で円周方向に離隔して組み込まれており、永久磁石の軸線がディスクのリムに接している単一溝ディスクの斜視図である。
【図２】取り付けアームに付着された本発明の電磁石ソレノイドの斜視図である。
【図３】二つの磁石が配置された方式を示す本発明の一例の横断面図である。
【図４】電磁石がディスクに接しないようにディスクの溝内に位置したことを示す本発明のモータの端部図である。
【図５】（ａ）〜（ｆ）は本発明のモータの永久磁石と電磁石の回転作用を示す図である。
【図６】ディスクのハブとフランジに永久磁石が円周方向に組み込まれており、磁石の軸線がディスクのリムに接している本発明の二重溝ディスクの斜視図である。
【図７】ディスクの溝の内部に電磁石が配置され、ディスクの軸が発電機ヘッドに連結されている本発明の二重溝ディスクの斜視図である。
【図８】本発明の他の実施形態に用いられるＣ型永久磁石の斜視図である。
【図９】Ｃ型永久磁石と電磁石の相互作用を示す本発明の変形例の斜視図である。
【図１０】電磁石がＣ型永久磁石に接しないように永久磁石内に完全に整列されている本発明の変形例の端部図である。
【図１１】複数のディスクの間にＣ型永久磁石が配置されており、電磁石がこれらの永久磁石の内部を通過するように一列に位置し、発電機ヘッドを駆動して電気を生産する本発明の変形例の斜視図である。
【発明を実施するための形態】
【０００９】
図１〜７を参照して説明する。
【００１０】
単一溝ディスク３にある永久磁石１ａ〜１ｄが馬蹄形で配列され、円周方向に全ての極が同じ方向に向かうように整列されており、電気が流れる時、電磁石の極が永久磁石１の極と同じ方向を向かうように電磁石ソレノイド２ａ〜２ｆが整列されている。電磁石２ａに電気が流れれば、誘導磁場のために永久磁石１ａが時計方向に回転して、永久磁石１ｂが電磁石ソレノイド２ｂと平行に整列される。永久磁石１ａが回転して電磁石２ａから離れた後に電磁石２ａの電流が切れ、永久磁石１ｂが電磁石２ｂに平行に整列される時に電磁石２ｂに電気が供給される。このようにして永久磁石１ｂが時計方向に回転して、永久磁石１ｃが電磁石２ｃに平行に整列される。このようにして電流が交互に電磁石２に供給されて、永久磁石がリレータイプハンドオーバー動作をするように電磁石２が間隔をおいている。ここでは、馬蹄形の永久磁石１が電磁石２から生じる磁束との作用は最大化しつつ、電磁石２で消費される電力は最小化し、互いに近くにある電磁石の相互インダクタンスに係る問題もないように永久磁石が電磁石を部分的に囲む。ディスク３の回転により生じられるトルクはディスクの直径に左右される。同様に、ディスク３のリムに用いられる永久磁石１と電磁石２の個数もディスクの直径に左右される。永久磁石１が馬蹄形で電磁石２を部分的に囲むため、電磁石２外部の磁束の相当量が永久磁石１を側面に動かしてディスク３を回転させるのに活用される。ディスク３のリム付近に永久磁石１が位置してディスク３の回転慣性が増加し、ディスク３の回転状態を維持するのに多いに役に立つ。ディスク３の軸は回転力を提供する他の装置の軸に連結される。
【００１１】
電磁石２と永久磁石１とは、同じ磁極が同じ方向に向かい、互いに平行し、ディスク３のリムに接するように配列されている。回転ディスク３の永久磁石１の間に遮蔽材を配置して、各々の永久磁石１の磁場が隣接した永久磁石の反対磁極に連結されずＮ極からＳ極に流れるようにすることもできる。
【００１２】
図８〜１１は、本発明の他の実施形態であって、Ｎ極とＳ極が表示されたとおりに長さ方向に配置されたＣ型永久磁石７を用いる。この永久磁石７はディスク３、４のリム近くに接線方向に組み込まれており、永久磁石２の磁束を可能な限り多くカバーする。永久磁石７の長さ方向の切開部８は電磁石２を固定するアームを収容する。
【００１３】
本発明のモータは、ディスク３、４の手動回転により、またはＤＣバッテリーの助けにより始動できる。
【００１４】
ディスク３を多層構造で用いると回転トルクをさらに引き起こすことができ、この時、ディスクの両側面の圧痕１０によってＣ型永久磁石７が固定されて多重溝ドラムが形成され、溝の間に電磁石２が一列に配列され、永久磁石７の切開部の間を通過し、ドラムが回転する時、永久磁石はフランジの間に位置する。電磁石２に電流が流れれば回転が誘導され、このような電磁石が永久磁石７に対して反発して回転を引き起こし、このような回転が発電機ヘッド９を駆動するかまたは電気を生産する。一方、電磁石の磁場のカバー範囲を増やすために、四角形ソレノイドを備えたＵ型永久磁石を用いることもできる。
【００１５】
本発明の特徴
１．永久磁石外部の磁束と電磁石外部の磁束の平行相互作用を利用して永久磁石の側方向の回転をさらに強化して永久磁石と電磁石の単位長さ当たりのディスク回転力が強化される。
【００１６】
２．永久磁石で電磁石を部分的に囲んで両磁石の磁場の間の相互作用を最小化する。
【００１７】
３．ソレノイドを部分的に囲むように馬蹄形で配列された複数の永久磁石に対するソレノイドの同時作用により単位電磁石の消費エネルギー当たりの回転力が強化される。
【００１８】
４．ディスクのリム付近に磁石を配置してシステムが一端回転を始めれば回転慣性が強化される。
【００１９】
５．電磁石と永久磁石との間に同じ電磁気力を維持しつつディスクの直径を増やして、同じ電磁石エネルギーを消費してもトルクと電力が強化される。
【００２０】
６．永久磁石を備えた多重溝ディスクを積層したドラムが電磁石ラインと相互作用してトルクと電力が強化される。
【００２１】
７．システムの回転エネルギのために、モータが高いｒｐｍで回転した後にはモータ回転を維持するのに最小の電磁気エネルギーが必要である。
【００２２】
８．ディスクのリムの周りに複数の受動電磁石を配置して、磁石が通過しつつ電気を生産する。
【００２３】
９．永久磁石と電磁石の外部のエネルギー場により化石燃料がなくてもモータを駆動することができるので汚染もない。
【００２４】
１０．このモータの固定電磁石部分が回転ディスクおよび永久磁石と非接触して摩耗と破損による交換が不要である。
【００２５】
１１．モータの製造と組み立てが容易であり、大きさの調節も可能である。
【００２６】
以上で説明したモータにおいて、永久磁石が２個以上であり、永久磁石のＳ極からＮ極に向かった縦軸線が同じ円周方向を有するようにディスクに配置されてもよい。
【００２７】
このような電気モータの永久磁石の間に遮蔽材を配置してもよい。
【００２８】
また、電磁石の各々が永久磁石の各々と円周方向に不一致するかまたは整列されなかった時には電気が遮断され、電磁石の各々の軸線が円周方向に永久磁石の各々の軸線に整列された時または円周方向に整列される他の円周方向閾値内にある時には電気が供給されるようにしてもよい。
【００２９】
また、永久磁石と電磁石の縦軸線が円周方向に互いに整列された時、永久磁石の縦軸線と電磁石の縦軸線が互いに平行するが他の平面にあってもよい。
【００３０】
また、永久磁石がチャネルを形成し、該チャネルは永久磁石の縦軸線に沿って伸びてもよい。
【００３１】
この場合、電磁石が円周方向に整列された時にチャネル内に位置してもよい。
【００３２】
または、このようなチャネルの断面がＣ型であるかまたは馬蹄形であってもよく、この時、電磁石が四角形であってもよい。
【００３３】
また、永久磁石の断面が永久磁石の縦軸線に直角であってもよい。
【００３４】
または、このようなチャネルが中心縦軸線を形成し、中心縦軸線と電磁石の縦軸線が同一平面にあってもよい。
【００３５】
なお、電磁石が電磁石チャネルを形成し、該電磁石チャネルは電磁石の縦軸線に沿って伸びてもよい。この時、永久磁石のうち少なくとも一つは永久磁石と電磁石が円周方向に整列された時に電磁石チャネル内に位置してもよい。または、電磁石チャネルが電磁石の中心縦軸線を形成し、電磁石の中心縦軸線と電磁石の縦軸線が同一平面にあってもよい。
【００３６】
また、永久磁石の縦軸線がディスクの円周に接してもよい。
【００３７】
また、以上で説明した電気モータが電磁石を支持するための少なくとも一つの固定支持部をさらに含んでもよい。
【００３８】
また、電磁石の縦軸線がディスクに接してもよい。
【００３９】
また、電磁石がフランジやエンドワッシャと一体である中実の軟鉄心を含んでもよい。
【００４０】
また、以上で説明した電気モータが永久磁石と電磁石の整列を検知する光学および／または近接センサをさらに含んでもよい。
【００４１】
また、永久磁石の各々に対して磁場が生じ、電磁石は電気を受けた時に電磁場を引き起こし、このような磁場と電磁場が相互作用して電磁石に対して永久磁石を側面に動かしてディスクを回転させてもよい。
【００４２】
また、電源がバッテリーであってもよい。
【００４３】
また、本発明の電気モータがディスクの回転速度を調節する速度コントローラをさらに含んでもよい。
【００４４】
また、電磁石を冷却する送風機がディスクに連結されてもよい。
【００４５】
また、電磁石の各々がソレノイドを含んでもよい。
【００４６】
また、電磁石が２個以上であり、ディスクが回転する順次的な順にこのような２個以上の電磁石に電気が供給されてもよい。この時、このような２個以上の電磁石のうち一部に電気を供給して永久磁石を反発させ、残りの電磁石は本来の位置に引かれるようにしてもよい。
【００４７】
また、永久磁石がディスクの円周に一致するように曲がってもよい。
【００４８】
本発明は、以上で説明した電気モータを一つ以上含む電気モータシステムも提供し、この場合、ディスクが中心軸を共有してもよい。
【００４９】
本発明は、以上で説明した電気モータのディスクに円周方向に隣接して配置された少なくとも一つの受動電磁石を含む発電システムも提供し、この時、電磁石の通路から電気を生産してもよい。
【００５０】
本発明は、このようなシステムが発電機を駆動するようにした発電システムも提供する。
【図１】
2019534679.tif 000003
【図２】
2019534679.tif 000004
【図３】
2019534679.tif 000005
【図４】
2019534679.tif 000006
【図５】
2019534679.tif 000007
【図６】
2019534679.tif 000008
【図７】
2019534679.tif 000009
【図８】
2019534679.tif 000010
【図９】
2019534679.tif 000011
【図１０】
2019534679.tif 000012
【図１１】
2019534679.tif 000013
【国際調査報告】
2019534679.tif 000014
2019534679.tif 000015